(57)【特許請求の範囲】
【請求項１】
ユーザが投稿したコンテンツデータに、当該コンテンツデータに設定された当該コンテンツデータを一以上の他のユーザが閲覧可能な閲覧可能回数を対応付けて管理し、前記閲覧可能回数の範囲内で一以上の他のユーザに前記コンテンツデータの閲覧を許可する閲覧制御部と、
前記コンテンツデータを部分的に表示する部分データと、当該コンテンツデータの閲覧を指示する閲覧指示ボタンとを含む投稿情報を他のユーザのユーザ端末に表示するとともに、他のユーザに閲覧された閲覧回数が前記閲覧可能回数に達した前記コンテンツデータの前記投稿情報とともに、当該コンテンツデータを投稿した前記ユーザに当該コンテンツデータの再投稿を促す再投稿リクエストボタンを表示する表示処理部と、
他のユーザから前記再投稿リクエストボタンが押された回数をカウントし、当該回数が所定数に達した場合に当該コンテンツデータを投稿したユーザに通知するとともに、当該コンテンツデータを投稿したユーザから当該コンテンツデータの再投稿指示と、当該コンテンツデータの再投稿時における閲覧可能回数の設定を受け付ける投稿制御部と、
を含むサービス提供システム。
【請求項２】
請求項１に記載のサービス提供システムは、
前記表示処理部は、前記投稿情報に、前記コンテンツデータに対応付けられた前記閲覧可能回数から当該コンテンツデータが他のユーザに閲覧された閲覧回数を減じた回数である閲覧可能残数を含めて他のユーザのユーザ端末に表示し、前記コンテンツデータが新たに閲覧されると、前記投稿情報中の前記閲覧可能残数を更新して表示するサービス提供システム。
【請求項３】
請求項１又は２に記載のサービス提供システムにおいて、
前記コンテンツデータは、動画データであって、前記部分データは、前記動画データの一シーンの一部又は全部であるサービス提供システム。
【請求項４】
請求項１から３いずれかに記載のサービス提供システムにおいて、
前記閲覧指示ボタンは、前記部分データにより構成されたサービス提供システム。
【請求項５】
請求項１から４いずれかに記載のサービス提供システムは、
前記投稿制御部は、前記コンテンツデータの投稿とともに、前記ユーザから当該コンテンツデータの前記閲覧可能回数の設定を受け付けるサービス提供システム。
【請求項６】
請求項１から５いずれかに記載のサービス提供システムにおいて、
前記閲覧制御部は、他のユーザに閲覧された閲覧回数が前記閲覧可能回数に達した前記コンテンツデータを、当該コンテンツデータが記憶された記憶部から削除するサービス提供システム。
【請求項７】
請求項１から６いずれかに記載のサービス提供システムにおいて、
前記閲覧制御部は、他のユーザに閲覧された閲覧回数が前記閲覧可能回数に達した前記コンテンツデータについて、当該コンテンツデータを投稿した前記ユーザに当該コンテンツデータの閲覧回数が前記閲覧可能回数に達したことを通知するサービス提供システム。
【請求項８】
請求項１から７いずれかに記載のサービス提供システムにおいて、
前記閲覧可能回数は閲覧可能人数であって、
前記閲覧制御部は、同じユーザからの複数回の閲覧については１回とカウントするサービス提供システム。
【請求項９】
ユーザが投稿したコンテンツデータに、当該コンテンツデータに設定された当該コンテンツデータを一以上の他のユーザが閲覧可能な閲覧可能回数を対応付けて管理し、前記閲覧可能回数の範囲内で一以上の他のユーザに前記コンテンツデータの閲覧を許可する閲覧制御ステップと、
前記コンテンツデータを部分的に表示する部分データと、当該コンテンツデータの閲覧を指示する閲覧指示ボタンとを含む投稿情報を他のユーザのユーザ端末に表示するとともに、他のユーザに閲覧された閲覧回数が前記閲覧可能回数に達した前記コンテンツデータの前記投稿情報とともに、当該コンテンツデータを投稿した前記ユーザに当該コンテンツデータの再投稿を促す再投稿リクエストボタンを表示する表示処理ステップと、
他のユーザから前記再投稿リクエストボタンが押された回数をカウントし、当該回数が所定数に達した場合に当該コンテンツデータを投稿したユーザに通知するとともに、当該コンテンツデータを投稿したユーザから当該コンテンツデータの再投稿指示と、当該コンテンツデータの再投稿時における閲覧可能回数の設定を受け付ける投稿制御ステップと、
含むサービス提供方法。
【請求項１０】
コンピュータを、
ユーザが投稿したコンテンツデータに、当該コンテンツデータに設定された当該コンテンツデータを一以上の他のユーザが閲覧可能な閲覧可能回数を対応付けて管理し、前記閲覧可能回数の範囲内で一以上の他のユーザに前記コンテンツデータの閲覧を許可する閲覧制御手段、
前記コンテンツデータを部分的に表示する部分データと、当該コンテンツデータの閲覧を指示する閲覧指示ボタンとを含む投稿情報を他のユーザのユーザ端末に表示するとともに、他のユーザに閲覧された閲覧回数が前記閲覧可能回数に達した前記コンテンツデータの前記投稿情報とともに、当該コンテンツデータを投稿した前記ユーザに当該コンテンツデータの再投稿を促す再投稿リクエストボタンを表示する表示処理手段、
他のユーザから前記再投稿リクエストボタンが押された回数をカウントし、当該回数が所定数に達した場合に当該コンテンツデータを投稿したユーザに通知するとともに、当該コンテンツデータを投稿したユーザから当該コンテンツデータの再投稿指示と、当該コンテンツデータの再投稿時における閲覧可能回数の設定を受け付ける投稿制御手段、
として機能させるサービス提供プログラム。
【発明の詳細な説明】
【技術分野】
【０００１】
本発明は、コンテンツデータを投稿及び閲覧するサービスを提供するサービス提供システム、サービス提供方法及びサービス提供用プログラムに関する。
【背景技術】
【０００２】
近年、インターネット上に静止画や動画等のコンテンツデータを投稿するサービスが広がっている。しかし、一旦インターネット上にコンテンツデータを投稿すると、そのコンテンツデータが投稿者の想定以上に広がってしまうおそれがあり、投稿をためらう人もいる。
【０００３】
そのため、ユーザが指定した特定の相手に所定時間だけ画像データを閲覧可能とする画像投稿サービスが提供されている（非特許文献１）。
【先行技術文献】
【非特許文献】
【０００４】
【非特許文献１】Snapchat、［online］、２０１５年６月８日、［２０１５年６月１５日検索］、インターネット〈URL：https://play.google.com/store/apps/details?id=com.snapchat.android&hl=ja〉
【発明の概要】
【発明が解決しようとする課題】
【０００５】
上記のような画像投稿サービスでは、閲覧に一定の制限を設けることができるため、ユーザはより気軽に画像データを投稿することができる。しかし、コンテンツデータの投稿や閲覧をさらに促進するためには、さらなる改善が求められている。
【課題を解決するための手段】
【０００６】
本発明によれば、
ユーザが投稿したコンテンツデータに、当該コンテンツデータに設定された当該コンテンツデータを一以上の他のユーザが閲覧可能な閲覧可能回数を対応付けて管理し、前記閲覧可能回数の範囲内で一以上の他のユーザに前記コンテンツデータの閲覧を許可する閲覧制御部と、
前記コンテンツデータを部分的に表示する部分データと、当該コンテンツデータの閲覧を指示する閲覧指示ボタンとを含む投稿情報を他のユーザのユーザ端末に表示するとともに、他のユーザに閲覧された閲覧回数が前記閲覧可能回数に達した前記コンテンツデータの前記投稿情報とともに、当該コンテンツデータを投稿した前記ユーザに当該コンテンツデータの再投稿を促す再投稿リクエストボタンを表示する表示処理部と、
他のユーザから前記再投稿リクエストボタンが押された回数をカウントし、当該回数が所定数に達した場合に当該コンテンツデータを投稿したユーザに通知するとともに、当該コンテンツデータを投稿したユーザから当該コンテンツデータの再投稿指示と、当該コンテンツデータの再投稿時における閲覧可能回数の設定を受け付ける投稿制御部と、
を含むサービス提供システムが提供される。
【０００７】
本発明によれば、
ユーザが投稿したコンテンツデータに、当該コンテンツデータに設定された当該コンテンツデータを一以上の他のユーザが閲覧可能な閲覧可能回数を対応付けて管理し、前記閲覧可能回数の範囲内で一以上の他のユーザに前記コンテンツデータの閲覧を許可する閲覧制御部を含むサービス提供システムが提供される。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、ユーザが気軽にコンテンツデータを投稿できるとともにコンテンツデータの閲覧を促進できるコンテンツ投稿閲覧サービスを提供することができる。
【図面の簡単な説明】
【００１０】
【図１】本実施形態におけるネットワーク構成の一例を示すブロック図である。
【図２】本実施形態におけるユーザ端末装置のハードウェア構成の一例を示すブロック図である。
【図３】本実施形態におけるサービス提供サーバ装置のハードウェア構成の一例を示すブロック図である。
【図４】本実施形態における各装置の機能構成の一例を示すブロック図である。
【図５】本実施形態における表示管理情報記憶部の内部構成の一例を示す図である。
【図６】本実施形態におけるユーザ表示画面の一例を示す図である。
【図７】本実施形態におけるユーザ表示画面の一例を示す図である。
【図８】本実施形態におけるユーザ表示画面の一例を示す図である。
【図９】本実施形態におけるサービス提供方法の処理手順の一例を示すフローチャートである。
【発明を実施するための形態】
【００１１】
以下、本発明の実施形態について、図面を用いて説明する。尚、すべての図面において、同様な構成要素には同様の符号を付し、適宜説明を省略する。
【００１２】
図１は、本実施形態におけるネットワーク構成の一例を示すブロック図である。
【００１３】
ネットワーク構成は、ユーザが操作するユーザ端末装置１、移動無線基地局やＷｉ−Ｆｉステーション等のアクセスポイント２、サービス提供サーバ装置４及びコンテンツサーバ装置７を含む。サービス提供サーバ装置４及びコンテンツサーバ装置７は、それぞれ、ネットワーク３を介して複数のユーザ端末装置１と接続される。また、サービス提供サーバ装置４及びコンテンツサーバ装置７もネットワーク３を介して接続される。本実施形態において、サービス提供サーバ装置４、コンテンツサーバ装置７及びユーザ端末装置１によりサービス提供システムを構成することができる。
【００１４】
ユーザ端末装置１は、例えば、携帯電話機、スマートフォン、ゲーム用コンソール、パーソナルコンピュータ、タッチパッド、電子書籍リーダー等の情報処理装置である。
【００１５】
図２は、本実施形態におけるユーザ端末装置１のハードウェア構成の一例を示すブロック図である。
【００１６】
ユーザ端末装置１は、電源システム１０１、メインシステム１０２、記憶部１０６、外部ポート１０７、高周波回路１０８、アンテナ１０９、オーディオ回路１１０、スピーカ１１１、マイク１１２、近接センサ１１３、Ｉ／Ｏサブシステム１１４、タッチ反応型ディスプレイシステム１１８、光学センサ１１９及び入力部１２０を含む。メインシステム１０２は、プロセッサ１０３、メモリコントローラ１０４及び周辺インタフェース１０５を含む。Ｉ／Ｏサブシステム１１４は、ディスプレイコントローラ１１５、光学センサコントローラ１１６及び入力コントローラ１１７を含む。光学センサ１１９及び光学センサコントローラ１１６等のカメラ機能により、ユーザはユーザ端末装置１を用いて写真（静止画）や動画を撮影することができる。
【００１７】
図３は、本実施形態におけるサービス提供サーバ装置４のハードウェア構成の一例を示すブロック図である。
【００１８】
サービス提供サーバ装置４は、システムバス４０１に接続されたＣＰＵ（Central Processing Unit）４０２、ＲＯＭ（Read Only Memory）４０３、ＲＡＭ（Random Access Memory）４０４、ＮＶＲＡＭ（Non-Volatile Random Access Memory）４０５、Ｉ／Ｆ（Interface）４０６と、Ｉ／Ｆ４０６に接続された、キーボード、マウス、モニタ、ＣＤ／ＤＶＤ（Compact Disk/Digital Versatile Disk）ドライブ等のＩ／Ｏ（Input/Output Device）４０７、ＨＤＤ（Hard Disk Drive）４０８、ＮＩＣ（Network Interface Card）４０９等を含む。
【００１９】
コンテンツサーバ装置７も図３に示したサービス提供サーバ装置４と同様のハードウェア構成を含むことができる。
【００２０】
図４は、ユーザ端末装置１、サービス提供サーバ装置４およびコンテンツサーバ装置７の機能構成を示すブロック図である。
【００２１】
本実施形態において、サービス提供サーバ装置４は、ユーザ端末装置１にコンテンツ投稿閲覧サービスを提供する。具体的には、サービス提供サーバ装置４は、ユーザ端末装置１からコンテンツデータの投稿を受け付け、コンテンツデータをコンテンツサーバ装置７に記憶する処理を行う。また、サービス提供サーバ装置４は、ユーザ端末装置１からコンテンツデータの閲覧指示を受け付け、コンテンツデータをユーザ端末装置１に提供する処理を行う。
【００２２】
コンテンツデータは、例えば、静止画データや動画データ等の画像データとすることができる。以下では、コンテンツデータが動画データである場合を例として説明する。また、以下の説明において、コンテンツデータを投稿するユーザを投稿ユーザ、コンテンツデータを閲覧するユーザを閲覧ユーザと区別して説明する場合もある。
【００２３】
ユーザ端末装置１は、投稿制御部１２、閲覧制御部１４、表示処理部１６、操作受付部１８及びユーザ情報記憶部３０を含む。ユーザ端末装置１の機能構成は、例えばユーザ端末装置１にサービス提供サーバ装置４が提供するコンテンツ投稿閲覧サービス利用アプリケーションプログラム（以下、「コンテンツ投稿閲覧アプリ」とも言う。）をインストールすることにより実現することができる。
【００２４】
投稿制御部１２は、ユーザ端末装置１のユーザがコンテンツデータを投稿する際の処理を制御する。投稿制御部１２は、ユーザ端末装置１のユーザが動画データを撮影する際の処理も制御する。閲覧制御部１４は、ユーザ端末装置１のユーザがコンテンツデータを閲覧する際の処理を制御する。操作受付部１８は、ユーザ端末装置１のユーザからの操作入力を受け付ける。表示処理部１６は、ユーザ端末装置１のタッチ反応型ディスプレイシステム１１８（図２参照）等のディスプレイに各種画面を提供する。ユーザ情報記憶部３０は、ユーザ端末装置１のユーザに関する各種情報を記憶する。
【００２５】
サービス提供サーバ装置４は、投稿制御部４２、閲覧制御部４４、表示処理部４６、ユーザ情報記憶部６０及び閲覧管理情報記憶部６２を含む。
【００２６】
投稿制御部４２は、ユーザ端末装置１のユーザがコンテンツデータを投稿する際の処理を制御する。閲覧制御部４４は、ユーザ端末装置１のユーザがコンテンツデータを閲覧する際の処理を制御する。表示処理部４６は、ユーザ端末装置１のディスプレイに各種画面を提供する。表示処理部４６は、例えば、各ユーザが投稿したコンテンツデータの投稿情報を他のユーザに表示したり、コンテンツデータを投稿したユーザに当該コンテンツデータが閲覧されたこと等を通知する処理を行う。
【００２７】
コンテンツデータの投稿情報は、当該コンテンツデータを部分的に表示する部分データ、当該コンテンツデータの閲覧を指示する閲覧指示ボタン、当該コンテンツデータを投稿したユーザに関する情報、当該コンテンツデータを説明するタイトル（コメント）、後述する閲覧可能残数等を含む。部分データは、コンテンツデータである動画データの一シーンの一部又は全部とすることができる。本実施形態において、部分データは、動画データの一シーン（例えば最初のシーン（開始画面））のサムネイル画像を部分的に表示したものとすることができる。コンテンツデータを投稿したユーザに関する情報は、例えば、当該ユーザのユーザ名やユーザ画像等とすることができる。投稿情報の詳細は後述する。
【００２８】
ユーザ情報記憶部６０は、サービス提供サーバ装置４にユーザ登録したユーザの各種情報を記憶する。ユーザ情報記憶部６０は、例えば、各ユーザのユーザＩＤ、ユーザ名、ユーザ画像、自己紹介コメント等のプロフィール情報、各ユーザがフォローしているユーザやフォロワーであるユーザのユーザＩＤ、各ユーザがフォローしているユーザのユーザ数、フォロワー数等を記憶する。
【００２９】
閲覧管理情報記憶部６２は、投稿されたコンテンツデータを閲覧する際の閲覧管理情報を記憶する。閲覧管理情報記憶部６２の内部構成は後述する。
【００３０】
コンテンツサーバ装置７は、制御部７０、コンテンツデータ記憶部７２及び投稿情報記憶部７４を含む。制御部７０は、サービス提供サーバ装置４の制御のもと、コンテンツサーバ装置７を制御する。コンテンツデータ記憶部７２は、ユーザ端末装置１のユーザが投稿したコンテンツデータを記憶する。投稿情報記憶部７４は、投稿されたコンテンツデータのサムネイル画像やタイトルを記憶する。
【００３１】
本実施形態において、サービス提供サーバ装置４へのコンテンツデータの投稿は、コンテンツデータを投稿する投稿ユーザのユーザ端末装置１の投稿制御部１２とサービス提供サーバ装置４の投稿制御部４２との連携により制御される。また、サービス提供サーバ装置４に投稿されたコンテンツデータの閲覧は、コンテンツデータを閲覧する閲覧ユーザのユーザ端末装置１の閲覧制御部１４とサービス提供サーバ装置４の閲覧制御部４４との連携により制御される。さらに、ユーザ端末装置１のユーザに表示される各種画面は、各ユーザ端末装置１の表示処理部１６とサービス提供サーバ装置４の表示処理部４６との連携により提供される。
【００３２】
まず、コンテンツデータの投稿時の処理について説明する。
【００３３】
ユーザ端末装置１において、投稿制御部１２は、操作受付部１８を介して、ユーザから動画の撮影指示を受け付ける。ユーザが動画を撮影すると、投稿制御部１２は、ユーザからその動画データをコンテンツデータとしてサービス提供サーバ装置４へ投稿する指示を受け付ける。このとき、投稿制御部１２は、ユーザから当該コンテンツデータを一以上の他のユーザが閲覧可能な閲覧可能回数の設定も受け付ける。また、投稿制御部１２は、ユーザから当該コンテンツデータのタイトル（コメント）も受け付けることができる。
【００３４】
投稿制御部１２は、コンテンツデータ、当該コンテンツデータのタイトル、当該コンテンツデータの閲覧可能回数等をサービス提供サーバ装置４に送信する。なお、サービス提供サーバ装置４にコンテンツデータを投稿するユーザはサービス提供サーバ装置４にログインしており、ユーザＩＤにより特定されているものとする。なお、本実施形態において、ユーザ端末装置１のユーザが撮影した動画データは、ユーザ端末装置１には記憶されない構成とすることができる。
【００３５】
サービス提供サーバ装置４において、投稿制御部４２は、投稿制御部１２から送信されたコンテンツデータ、当該コンテンツデータの閲覧可能回数、当該コンテンツデータのタイトル等を受信する。投稿制御部４２は、コンテンツデータにコンテンツＩＤを付す。コンテンツデータはコンテンツＩＤに基づき管理される。投稿制御部４２は、コンテンツデータをコンテンツＩＤに対応付けてコンテンツサーバ装置７のコンテンツデータ記憶部７２に記憶する。
【００３６】
また、投稿制御部４２は、コンテンツデータのサムネイル画像及びタイトルをコンテンツＩＤに対応付けてコンテンツサーバ装置７の投稿情報記憶部７４に記憶する。サムネイル画像は、ユーザ端末装置１において投稿制御部１２により生成されてコンテンツデータとともに送信されてもよく、サービス提供サーバ装置４において投稿制御部４２により生成されてもよく、コンテンツサーバ装置７において制御部７０により生成されてもよい。
【００３７】
さらに、投稿制御部４２は、コンテンツデータに設定された閲覧可能回数をコンテンツＩＤに対応付けて閲覧管理情報記憶部６２に記憶する。また、投稿制御部４２は、コンテンツデータ記憶部７２に記憶されたコンテンツデータ及び投稿情報記憶部７４に記憶されたサムネイル画像及びタイトルへアクセスするためのＵＲＬ等のパス情報もコンテンツＩＤに対応付けて閲覧管理情報記憶部６２に記憶する。
【００３８】
また、表示処理部４６は、投稿制御部４２の制御のもと、コンテンツデータの投稿情報を他のユーザのユーザ端末装置１に表示する。
【００３９】
ユーザ端末装置１において、表示処理部１６は、表示処理部４６との連携により、ユーザ端末装置１のディスプレイに投稿情報をリストとして表示する。ユーザは、投稿情報に基づき、他のユーザが投稿したコンテンツデータを閲覧するか否かを判断し、閲覧指示ボタンにより当該コンテンツデータの閲覧を指示することができる。
【００４０】
具体的には、例えば、以下の構成とすることができる。ユーザがユーザ端末装置１においてコンテンツ投稿閲覧アプリを起動すると、撮影開始ボタンを含む動画撮影画面が表示される。ユーザが撮影開始ボタンを押すと、所定時間（例えば１０秒）の撮影が開始する。所定時間の撮影が終了すると、ユーザに当該コンテンツデータのタイトル及び閲覧可能回数を入力させるとともに投稿可否を確認する画面が表示される。ユーザがタイトル及び閲覧可能回数を入力するとともに、投稿を指示すると、コンテンツデータがサービス提供サーバ装置４に送信される。
【００４１】
ユーザからコンテンツデータが投稿されると、その投稿情報が当該ユーザのフォロワーやそのユーザの友だちとして登録されているユーザ等のユーザ端末装置１に通知される。ここで通知とは、投稿情報を各ユーザのタイムライン等に表示することとすることができる。これらの処理は、ユーザ端末装置１の投稿制御部１２及び表示処理部１６、サービス提供サーバ装置４の投稿制御部４２及び表示処理部４６により行われる。
【００４２】
次に、コンテンツデータの閲覧時の処理について説明する。
【００４３】
ユーザ端末装置１において、ユーザがユーザ端末装置１のディスプレイに表示された投稿情報に基づき、コンテンツデータの閲覧を指示すると、閲覧制御部１４は、操作受付部１８を介して、ユーザからコンテンツデータの閲覧指示を受け付ける。閲覧制御部１４は、サービス提供サーバ装置４にユーザからの閲覧指示を送信する。なお、コンテンツデータの閲覧を指示するユーザはサービス提供サーバ装置４にログインしており、ユーザＩＤにより特定されているものとする。また、投稿情報により、コンテンツＩＤも特定されているものとする。
【００４４】
サービス提供サーバ装置４において、閲覧制御部４４は、閲覧管理情報記憶部６２に記憶された閲覧管理情報に基づき、各コンテンツデータに対応付けられた閲覧可能回数の範囲内で一以上の他のユーザにコンテンツデータの閲覧を許可する。具体的には、閲覧制御部４４は、コンテンツデータに、当該コンテンツデータに対応付けられた閲覧可能回数から当該コンテンツデータが他のユーザに閲覧された閲覧回数を減じた回数である閲覧可能残数を対応付けて管理する。閲覧制御部４４は、いずれかのユーザ端末装置１から他のユーザが投稿したコンテンツデータの閲覧指示があると、閲覧可能残数がゼロでない場合に当該コンテンツデータを閲覧指示があったユーザ端末装置１に提供するとともに、閲覧可能残数から１を減じて当該閲覧可能残数を更新する。
【００４５】
図５は、本実施形態における閲覧管理情報記憶部６２の内部構成の一例を示す図である。
【００４６】
閲覧管理情報記憶部６２は、「コンテンツＩＤ」、「投稿ユーザＩＤ」、「閲覧可能回数」、「閲覧回数」、「閲覧可能残数」、「閲覧可能フラグ」、「閲覧情報」、「コンテンツＵＲＬ」、「投稿情報ＵＲＬ」等の項目を含む。
【００４７】
「コンテンツＩＤ」は、当該コンテンツデータを特定する情報である。「投稿ユーザＩＤ」は、当該コンテンツデータを投稿したユーザを特定するユーザＩＤである。
【００４８】
「閲覧可能回数」は、当該コンテンツデータに設定された閲覧可能回数を示す。「閲覧回数」は、当該コンテンツデータを投稿ユーザ以外のユーザが閲覧した回数を示す。「閲覧可能残数」は、当該コンテンツデータを閲覧可能な残数を示す。例えば、「閲覧可能回数」が４回で「閲覧回数」が２回の場合、「閲覧可能残数」は２回となる。「閲覧可能フラグ」は、当該コンテンツデータを閲覧可能か否かを示す情報である。閲覧可能な場合は「Ｙ」、閲覧不可能な場合は「Ｎ」と示されている。「閲覧可能残数」がゼロとなったコンテンツデータは閲覧不可能とされ、「Ｎ」が対応付けられる。
【００４９】
「閲覧情報」は、当該コンテンツデータを閲覧したユーザを特定する閲覧ユーザＩＤや閲覧時間等の情報を含む。「コンテンツＵＲＬ」は、コンテンツデータ記憶部７２の当該コンテンツデータが記憶された領域へのＵＲＬを示す。「投稿情報ＵＲＬ」は、投稿情報記憶部７４の当該コンテンツデータのサムネイル画像やタイトル等の投稿情報が記憶された領域へのＵＲＬを示す。
【００５０】
例えば、図５に示した例において、コンテンツＩＤ「Ｃ０００１」はユーザＩＤ「Ｕ０００１」のユーザが投稿し、閲覧可能が４回に設定されており、既に２回閲覧されており、閲覧可能残数が２回で閲覧可能フラグが「Ｙ」である。
【００５１】
図４に戻り、閲覧制御部４４は、閲覧可能残数がゼロとなったコンテンツデータについては、他のユーザのユーザ端末装置１にコンテンツデータを提供しない。このような構成により、投稿ユーザは、他のユーザによる閲覧回数が自分が設定した閲覧可能回数に達すると投稿したコンテンツデータが他のユーザに閲覧されなくなるようにすることができ、自分が投稿したコンテンツデータが無制限に閲覧されることがないため、コンテンツデータを気軽に投稿できるようになる。一方、閲覧ユーザにとっては、閲覧可能回数に達するとそのコンテンツデータを閲覧できなくなるので、いち早くコンテンツデータを見ようという心理が働き、コンテンツデータの閲覧を促進することもできる。
【００５２】
また、表示処理部４６は、コンテンツデータが新たに閲覧されると、投稿情報中の閲覧可能残数を更新して表示する。このように投稿情報中の閲覧可能残数が更新されることにより、例えば人気のあるコンテンツデータの閲覧可能残数は順次減っていき、閲覧ユーザが急いでコンテンツデータを見たいという心理を高め、コンテンツデータの閲覧を促進することもできる。
【００５３】
本実施形態において、閲覧制御部４４は、他のユーザに閲覧された閲覧回数が閲覧可能回数に達したコンテンツデータを、コンテンツサーバ装置７のコンテンツデータ記憶部７２から削除する構成とすることができる。このような構成により、投稿ユーザは、他のユーザによる閲覧回数が自分が設定した閲覧可能回数に達すると投稿したコンテンツデータが他のユーザに閲覧されなくなるだけでなく、コンテンツデータ自体がコンテンツデータ記憶部７２から削除されるので、コンテンツデータをより気軽に投稿できるようになる。
【００５４】
また、表示処理部４６は、閲覧可能残数がゼロとなったコンテンツデータの投稿情報をタイムラインに表示しない構成、つまり閲覧可能残数がゼロとなったコンテンツデータの投稿情報をタイムラインから削除する構成とすることができる。このような構成により、投稿情報自体も他のユーザに表示されなくなるので、投稿ユーザがより気軽に投稿できるようになる。また、各ユーザのタイムラインに閲覧不能なコンテンツデータの投稿情報が表示されることがなくなるので、ユーザは自分が閲覧可能なコンテンツデータの投稿情報のみがタイムラインに表示された状態で投稿情報のリストを見ることができる。
【００５５】
また、閲覧制御部４４は、コンテンツデータが他のユーザに閲覧された場合にその旨を投稿ユーザに通知することができる。さらに、閲覧制御部４４は、他のユーザに閲覧された閲覧回数が閲覧可能回数に達したコンテンツデータについて、当該コンテンツデータを投稿した投稿ユーザに当該コンテンツデータの閲覧回数が閲覧可能回数に達したことを通知することができる。
【００５６】
また、閲覧制御部４４は、閲覧ユーザがコンテンツデータを閲覧中（再生中）にユーザ端末装置１の機能を用いてスクリーンショットを撮った場合に、その旨を検知し、当該閲覧ユーザがスクリーンショットを撮ったことを投稿ユーザに通知することもできる。これにより、投稿ユーザは他のユーザがスクリーンショットを撮った場合にはそれを把握することができる。また、閲覧ユーザにとっては自分がスクリーンショットを撮ったことが投稿ユーザに知られることになるため、スクリーンショットを撮ることをためらう意識が働き、コンテンツデータのスクリーンショットが撮られてしまう回数を抑制することができると考えられる。
【００５７】
次に、ユーザ端末装置１の表示処理部１６によりユーザに提供されるユーザ表示画面３００について図６から図８を参照して説明する。ユーザ表示画面３００は、ユーザ端末装置１にインストールされたコンテンツ投稿閲覧アプリにより提供される。
【００５８】
図６に示すように、ユーザ表示画面３００は、その下部にホームボタン３１０、検索ボタン３１２、撮影ボタン３１４、お知らせボタン３１６及びプロフィールボタン３１８等の機能ボタンを含む。
【００５９】
図６は、ホームボタン３１０が選択された場合のユーザ表示画面３００であるタイムライン画面３００ａを示す。タイムライン画面３００ａは、例えば、閲覧ユーザがフォローしている投稿ユーザのコンテンツデータの投稿情報３２０が、投稿された時間軸に沿って新しいものが上に表示されるような構成とすることができる。
【００６０】
各投稿情報３２０は、当該コンテンツデータを投稿した投稿ユーザのユーザ画像３２２、ユーザ名３２３、コンテンツデータのタイトル３２４、コンテンツ小窓３２６及び閲覧可能残数３２８を含む。
【００６１】
コンテンツ小窓３２６には、当該コンテンツデータのサムネイル画像の一部が表示される。本実施形態において、コンテンツデータである動画データの最初のシーンのサムネイル画像の一部がコンテンツ小窓３２６内に表示される。ここで、一部とは、サムネイル画像の例えば半分以下の面積とすることができ、コンテンツ小窓３２６に表示された部分だけからはサムネイル画像全体が把握できない程度とすることができる。ただし、例えば閲覧ユーザがユーザ端末装置１を傾けたりすると、コンテンツ小窓３２６内に表示される部分が変わる構成とすることもできる。また、他の例として、例えば閲覧ユーザがコンテンツ小窓３２６内のサムネイル画像を指でスクロール等すると、コンテンツ小窓３２６内に表示されているサムネイル画像の部分が移動する構成とすることもできる。例えば、サービス提供サーバ装置４の表示処理部４６は、閲覧管理情報記憶部６２を参照し、該当のコンテンツデータの投稿情報ＵＲＬに基づき投稿情報記憶部７４にアクセスし、対応する投稿情報を取得して表示処理部１６を介してユーザ端末装置１のディスプレイにサムネイル画像の一部やタイトルを表示することができる。また、他の例として、サービス提供サーバ装置４の表示処理部４６は、閲覧管理情報記憶部６２を参照し、該当のコンテンツデータの投稿情報ＵＲＬを取得し、ユーザ端末装置１の表示処理部１６に投稿情報ＵＲＬを送信することができる。この場合、表示処理部１６は、取得した投稿情報ＵＲＬに基づき投稿情報記憶部７４にアクセスし、対応する投稿情報を取得してユーザ端末装置１のディスプレイにサムネイル画像の一部やタイトルを表示することができる。
【００６２】
コンテンツ小窓３２６は閲覧指示ボタンとしての機能も有する。つまり、閲覧指示ボタンは、サムネイル画像の一部（部分データ）であるコンテンツ小窓３２６により構成される。閲覧ユーザが投稿情報３２０のコンテンツ小窓３２６を所定時間長押しすると、当該コンテンツデータが閲覧可能となる。この間、閲覧制御部４４は、閲覧管理情報記憶部６２の当該コンテンツデータの閲覧回数を１増加するとともに閲覧可能残数を１減じる処理を行う。
【００６３】
なお、ユーザは、自分自身が投稿したコンテンツデータを閲覧することも可能であるが、その場合、閲覧制御部４４は、投稿ユーザ自身によるコンテンツデータの閲覧は閲覧回数としてカウントしない構成とすることができる。また、投稿ユーザ以外のユーザが同じコンテンツデータを複数回閲覧する場合、閲覧制御部４４は、同じユーザによる２回目以降の閲覧は閲覧回数としてカウントしない構成としてもよい。同じユーザによる２回目以降の閲覧を閲覧回数としてカウントしない構成の場合、閲覧可能回数は、閲覧可能人数と同義となる。ただし、閲覧制御部４４は、同じユーザによる閲覧でも、各回毎に閲覧回数としてカウントしてもよい。
【００６４】
また、ユーザ自身が投稿したコンテンツデータの投稿情報３２０もタイムラインに表示される構成としてもよく、他のユーザが投稿したコンテンツデータの投稿情報３２０のみがタイムラインに表示される構成としてもよい。
【００６５】
さらに、タイムラインは、投稿ユーザ自身の投稿情報、投稿ユーザがフォローしている他のユーザの投稿情報、人気の投稿情報等がそれぞれ表示される複数種準備されてもよく、ユーザがタブ等でいずれのタイムラインを表示するかを選択できるようにしてもよい。
【００６６】
ユーザが投稿情報３２０のユーザ画像３２２やユーザ名３２３を押すと、その投稿情報３２０の投稿ユーザのプロフィール画面が表示される。図７は、プロフィール画面３００ｂの一例を示す。
【００６７】
プロフィール画面３００ｂは、当該投稿ユーザのユーザ名「ａｓａ」、ユーザ画像３０２、当該投稿ユーザがこれまでに投稿したコンテンツの数「５６」、自己紹介「日常の面白いこと投稿します！」、当該投稿ユーザのフォロワー数「１０４」、当該投稿ユーザがフォローしているユーザの数「１００２」、当該投稿ユーザが投稿したコンテンツデータのうち、現在閲覧可能な投稿である投稿情報３２０等を含む。
【００６８】
また、ユーザがプロフィールボタン３１８を押した場合は、当該ユーザ自身のプロフィール画面３００ｂが表示される。
【００６９】
ユーザがお知らせボタン３１６を押すと、お知らせ画面が表示される。図８は、お知らせ画面３００ｃの一例を示す。
【００７０】
お知らせ画面３００ｃは、当該ユーザが投稿したコンテンツデータに関するお知らせ情報３４０を含む。各お知らせ情報３４０は、例えば、当該コンテンツデータのサムネイル画像３４６、ある閲覧ユーザが当該コンテンツデータを閲覧した場合はそのユーザのユーザ画像３４２および「Taichiさんがこの動画を閲覧しました。」等のメッセージ３４４を含む。このとき、閲覧した日時も表示されてもよい。また、メッセージ３４４は、「あと２人」等の閲覧可能残数を含む構成とすることができる。また、閲覧回数が閲覧可能回数に達した場合は、「この動画を全員（２人）が閲覧しました。」等のメッセージ３４４が表示される。この場合、ユーザ画像３４２は表示されない構成としてもよく、ユーザ画像３４２の部分には共通の他のマーク等が表示されてもよい。
【００７１】
なお、お知らせ画面３００ｃに表示されるサムネイル画像３４６は投稿ユーザ自身に表示されるものであるので、サムネイル画像全体が表示される構成とすることができる。さらに、いずれかの他のユーザが動画データを閲覧中にスクリーンショットを撮った場合は、その旨がお知らせ画面３００ｃに表示される構成としてもよい。さらに、お知らせ画面３００ｃには、当該ユーザが他のユーザにフォローされたこと等が表示される構成としてもよい。
【００７２】
また図示していないが、ユーザが検索ボタン３１２を選択すると、他のユーザをユーザ名やユーザＩＤ等から検索するための入力ボックス、閲覧ユーザがまだフォローしていないユーザのユーザ情報や人気のあるユーザのユーザ情報、人気のある投稿の投稿情報等を含む画面が表示される。
【００７３】
本実施形態において、各ユーザが投稿した投稿情報は、閲覧可能回数の制限があるだけで、閲覧対象者に制限を設けない構成とすることができる。つまり、サービス提供サーバ装置４に登録しているユーザであればいずれのユーザでも他のユーザの投稿した投稿情報を閲覧できる構成とすることができる。ただし、各ユーザのタイムラインには、当該ユーザがフォローしているユーザの投稿情報のみが表示される等とすることができる。また、他の例において、投稿ユーザが自分のフォロワーのみ閲覧可能とする等の設定を行う構成としてもよい。
【００７４】
また、ユーザが撮影ボタン３１４を選択すると、ユーザ端末装置１のカメラ機能が起動し、撮影画面が表示される。このとき、撮影画面にはカメラの撮影対象が表示されるとともに、「長押しで動画撮影」等の説明文が表示される。ユーザが画面を長押し等すると、その間、動画がコンテンツデータとして撮影される。ユーザが指を離すと、「タイトル入力（２５文字以内）」、「閲覧可能回数（閲覧可能人数）入力」等の説明文が表示される。これにより、ユーザは説明文に従ってコンテンツデータの撮影、タイトルの入力、閲覧可能回数の入力等を行うことができる。
【００７５】
図４に戻り、サービス提供サーバ装置４及びコンテンツサーバ装置７は、本実施形態におけるコンテンツ投稿閲覧サービスを提供するサービス業者により管理される。本実施形態において、コンテンツサーバ装置７はサービス提供サーバ装置４と別の装置として説明しているが、コンテンツサーバ装置７の構成はサービス提供サーバ装置４内に含めた構成とすることもできる。この場合、サービス提供サーバ装置４がコンテンツデータ記憶部７２及び投稿情報記憶部７４を含むことができる。
【００７６】
また、コンテンツデータは、投稿制御部１２及び投稿制御部４２の制御のもと、投稿ユーザのユーザ端末装置１からコンテンツサーバ装置７に直接送信される構成とすることができる。また、コンテンツデータは、閲覧制御部１４及び閲覧制御部４４の制御のもと、コンテンツサーバ装置７から閲覧ユーザのユーザ端末装置１に直接提供されてもよい。この場合、閲覧制御部４４は、閲覧管理情報記憶部６２を参照して、該当のコンテンツデータのコンテンツＵＲＬを閲覧制御部１４に通知することができる。閲覧制御部１４は、通知されたコンテンツＵＲＬにアクセスしてコンテンツデータを取得することができる。同様に、各ユーザのタイムライン等に表示されるサムネイル画像やタイトル等の投稿情報も投稿情報ＵＲＬに基づき、コンテンツサーバ装置７からユーザ端末装置１に直接提供されてもよい。
【００７７】
図９は、本実施形態におけるサービス提供方法の処理手順の一例を示すフローチャートである。
【００７８】
以下では、コンテンツデータを投稿する投稿ユーザのユーザ端末装置１を投稿ユーザ端末装置１ａ、当該コンテンツデータを閲覧する閲覧ユーザのユーザ端末装置１を閲覧ユーザ端末装置１ｂとして説明する。また、以下ではコンテンツ投稿閲覧サービスを提供するサービス業者により管理されるサービス提供サーバ装置４及びコンテンツサーバ装置７の処理をまとめて記載する。
【００７９】
投稿ユーザ端末装置１ａにおいて、投稿ユーザが図６に示したユーザ表示画面３００の撮影ボタン３１４を選択して撮影画面を表示すると、投稿制御部１２は、投稿ユーザに動画の撮影を開始するか否かを問い合わせる。投稿ユーザが動画の撮影開始を指示すると、投稿制御部１２は、動画の撮影を開始する。所定時間の動画が撮影されると（ステップＳ１００）、投稿制御部１２は、投稿ユーザに動画データを投稿するか否かを問い合わせる。投稿ユーザが動画データの投稿を指示すると、投稿制御部１２は、投稿ユーザに動画データのタイトル及び閲覧可能回数を入力させる（ステップＳ１０２）。次いで、投稿制御部１２は、サービス提供サーバ装置４に動画データを送信する（ステップＳ１０４）。このとき、動画データとともに、タイトル、閲覧可能回数等も送信される。なお、動画データは、投稿ユーザ端末装置１ａからコンテンツサーバ装置７に直接送信される構成とすることもできる。この場合、例えば、投稿ユーザ端末装置１ａの投稿制御部１２はサービス提供サーバ装置４の投稿制御部４２と予め通信を行い、投稿制御部４２からコンテンツＩＤを取得し、コンテンツデータを当該コンテンツＩＤに対応付けてコンテンツサーバ装置７に送信することができる。
【００８０】
サービス提供サーバ装置４において、投稿制御部４２は、動画データ、並びにそのタイトル及びサムネイル画像をコンテンツサーバ装置７のコンテンツデータ記憶部７２及び投稿情報記憶部７４にそれぞれ記憶する（ステップＳ１０６）。また、投稿制御部４２は、閲覧管理情報を閲覧管理情報記憶部６２に記憶する（ステップＳ１０８）。表示処理部４６は、投稿制御部４２の制御のもと、投稿情報３２０を閲覧ユーザ端末装置１ｂのタイムラインに表示する（ステップＳ１１０）。
【００８１】
閲覧ユーザ端末装置１ｂにおいて、閲覧ユーザがタイムラインに表示されたいずれかの投稿情報に基づいて動画データの閲覧指示をすると（ステップＳ１２０）、サービス提供サーバ装置４において、閲覧制御部４４は、閲覧管理情報記憶部６２を参照して、当該動画データの閲覧可能残数がゼロか否かを確認し、閲覧可否を判断する（ステップＳ１２２）。具体的には、閲覧制御部４４は、閲覧管理情報記憶部６２の閲覧可能フラグ（図５参照）が「Ｙ」か「Ｎ」かに基づき、閲覧可否を判断する。
【００８２】
閲覧可能な場合（ステップＳ１２２のＹＥＳ）、閲覧制御部４４は、当該動画データを閲覧ユーザ端末装置１ｂに提供する（ステップＳ１２４）。具体的には、例えば、閲覧制御部４４は、閲覧管理情報記憶部６２を参照して、当該動画データのコンテンツＵＲＬを閲覧ユーザ端末装置１ｂの閲覧制御部１４に通知することができる。閲覧ユーザ端末装置１ｂにおいて、閲覧制御部１４は、通知されたコンテンツＵＲＬにアクセスすることにより、動画データをダウンロードすることができ、ユーザが閲覧することができる。ここで、動画データは、例えば、ダウンロードしながら再生するプログレッシブダウンロードにより閲覧ユーザ端末装置１ｂに提供される構成とすることができる。
【００８３】
次いで、閲覧制御部４４は、当該動画データの閲覧管理情報の閲覧回数を１増加するとともに閲覧可能残数を１減じる処理を行う（ステップＳ１２８）。つづいて、閲覧制御部４４は、当該動画データの閲覧可能残数がゼロか否かを判断する（ステップＳ１３０）。閲覧可能残数がゼロの場合（ステップＳ１３２のＹＥＳ）、閲覧制御部４４は、当該動画データが閲覧ユーザにより閲覧されたか否かを監視し（ステップＳ１３２）、閲覧済となったら（ステップＳ１３２のＹＥＳ）、当該動画データをコンテンツデータ記憶部７２から削除する（ステップＳ１３４）。上述したように動画データがプログレッシブダウンロードにより閲覧ユーザ端末装置１ｂに提供される場合、一例として、閲覧制御部４４は、閲覧ユーザ端末装置１ｂとコンテンツサーバ装置７間の通信を監視し、通信が途絶えた場合に閲覧済となったと判断することができる。
この後、表示処理部４６は、タイムライン等の表示を更新する（ステップＳ１３６）。一方、ステップＳ１３２において閲覧可能残数がゼロでない場合（ステップＳ１３２のＮＯ）、動画データを削除することなくステップＳ１３６に進む。
【００８４】
ステップＳ１２２において、閲覧可能でない場合（ステップＳ１２２のＮＯ）、閲覧制御部４４は閲覧ユーザ端末装置１ｂにエラー通知を行う（ステップＳ１２６）。
【００８５】
本実施形態のサービス提供サーバ装置４によれば、投稿ユーザは、他のユーザによる閲覧回数が自分が設定した閲覧可能回数に達すると投稿したコンテンツデータが他のユーザに閲覧されなくなるようにすることができ、自分が投稿したコンテンツデータが無制限に閲覧されることがないため、コンテンツデータを気軽に投稿できるようになる。一方、閲覧ユーザにとっては、閲覧可能回数に達するとそのコンテンツデータを閲覧できなくなるので、いち早くコンテンツデータを見ようという心理が働き、コンテンツデータの閲覧を促進することもできる。
【００８６】
なお、図４に示したユーザ端末装置１、サービス提供サーバ装置４、コンテンツサーバ装置７の各構成要素は、ハードウェア単位の構成ではなく、機能単位のブロックを示している。ユーザ端末装置１、サービス提供サーバ装置４、コンテンツサーバ装置７の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウエアの任意の組合せによって実現される。そして、その実現方法、装置にはいろいろな変形例があることは、当業者には理解されるところである。
【００８７】
上述したように、コンテンツサーバ装置７の構成はサービス提供サーバ装置４内に含めた構成とすることもでき、コンテンツサーバ装置７の構成の一部のみサービス提供サーバ装置４内に含めた構成とすることもできる。また、例えば、サービス提供サーバ装置４が行う機能は、一つの装置で実行される必要はなく、複数の装置に分散配置した構成としてもよい。
【００８８】
以上、図面を参照して本発明の実施形態について述べたが、これらは本発明の例示であり、上記以外の様々な構成を採用することもできる。
【００８９】
表示処理部４６は、各ユーザ端末装置１のディスプレイにチャット画面を提供する構成とすることもできる。例えば、ある閲覧ユーザが他の投稿ユーザのコンテンツデータを閲覧した後、当該閲覧ユーザと投稿ユーザとのチャット画面に遷移する構成とすることができる。また、各コンテンツデータに、当該コンテンツデータに対する閲覧ユーザからのコメント等を投稿できる構成とすることもできる。
【００９０】
以上の実施形態では、コンテンツデータの閲覧回数が閲覧可能回数に達した場合には、当該コンテンツデータがコンテンツデータ記憶部７２から削除される例を示した。しかし、コンテンツデータの閲覧回数が閲覧可能回数に達した場合でもコンテンツデータがコンテンツデータ記憶部７２から削除されない構成とすることもできる。
【００９１】
また、以上の実施形態では、コンテンツデータの閲覧回数が閲覧可能回数に達した場合には、当該コンテンツデータの投稿情報がタイムラインから削除される例を示した。しかし、コンテンツデータの閲覧回数が閲覧可能回数に達した場合でも当該コンテンツデータの投稿情報がタイムラインから削除されない構成とすることもできる。また、この場合、コンテンツデータの閲覧回数が閲覧可能回数に達したコンテンツデータの投稿情報には、「見たいボタン」等を含める構成とすることができる。他のユーザが「見たいボタン」を押すと、その都度その旨が投稿ユーザに通知される構成とすることもでき、例えば「見たいボタン」が押された数をカウントし、所定数に達した場合にその旨が投稿ユーザに通知される構成とすることもできる。通知は投稿ユーザのお知らせ画面３００ｃに表示される構成とすることもでき、また投稿ユーザにプッシュ通知が行われる構成とすることもできる。
【００９２】
この後、ユーザ端末装置１の投稿制御部１２は、投稿ユーザから「再投稿」等の指示を受け付けることができ、その際新たに閲覧可能回数を再設定することもできる。これにより、投稿ユーザは、他のユーザからの要望に基づき、コンテンツデータを再投稿するか否かを判断することができる。また、閲覧を逃したユーザも「見たいボタン」を押すことでそのコンテンツデータの再投稿を促し、コンテンツデータを閲覧できる可能性が高まる。
【００９３】
また、以上の実施形態では、コンテンツデータが投稿ユーザのユーザ端末装置１に記憶されない構成を例として説明したが、コンテンツデータは、投稿ユーザのユーザ端末装置１の所定の記憶部に記憶される構成とすることができる。この時、ユーザ端末装置１内においても、コンテンツデータはサービス提供サーバ装置４で管理されるコンテンツＩＤに対応付けて管理される構成とすることができる。この場合、例えばコンテンツデータの閲覧回数が閲覧可能回数に達した場合に、当該コンテンツデータがコンテンツデータ記憶部７２から削除されたとしても、投稿ユーザが再投稿を指示する際に、ユーザ端末装置１に記憶されたコンテンツデータを再度サービス提供サーバ装置４（又はコンテンツサーバ装置７に直接）に送信する構成とすることができる。
【００９４】
以上の実施形態では、コンテンツデータが動画データである場合を例として説明したが、コンテンツデータは静止画データとすることもできる。この場合、部分データは、当該静止画データの任意の位置及び範囲がカバー画像で覆われたデータとすることができる。どの位置や範囲をカバー画像で覆うかは、静止画データを投稿する際に、投稿ユーザに設定させることができる。閲覧ユーザには、カバー画像付きの静止画データが提供され、閲覧が許可されると、カバー画像で覆う前の静止画データが表示される構成とすることができる。
【００９５】
また、サービス提供サーバ装置４は、各ユーザをユーザＩＤに基づき、Twitter（登録商標）やFacebook（登録商標）等の他のソーシャルネットワーキングサービスの各ユーザのアカウントと連携可能な構成とすることができる。これにより、ユーザは、例えば他のユーザが投稿したコンテンツデータを閲覧した後に、Twitter（登録商標）やFacebook（登録商標）等を用いて感想等のメッセージを投稿ユーザに送信したりすることができる。
【００９６】
また、例えば、投稿情報が表示されるタイムラインには、不適切な投稿をコンテンツ投稿閲覧サービスを提供するサービス業者（運営）に通知するボタン等を設けた構成とすることもできる。
【００９７】
また、ユーザ端末装置１のディスプレイに表示されるユーザ表示画面３００等の画面の提供方法は、「アプリタイプ」と「ブラウザタイプ」のいずれとすることもできる。
【００９８】
アプリタイプは、予めサービス提供サーバ装置４等からコンテンツ投稿閲覧サービス提供プログラムをユーザ端末装置１にダウンロードし、ユーザ端末装置１上で当該プログラムを実行し、ダウンロードを通じてユーザ端末装置１に記憶されたプログラムに含まれる画面遷移情報と、入力操作を契機にサーバから取得されるデータとに基づいて画面情報を生成して表示するものである。一方、ブラウザタイプは、サービス提供サーバ装置４側で一連の画面の表示制御内容を記述した画面遷移情報（Ｖｉｅｗ情報）を管理し、ユーザ端末装置１からの入力操作に伴うデータ取得リクエストに応じて、ＨＴＭＬデータ文書やこれに関連付けされた画像等のデータをユーザ端末装置１に送信し、ユーザ端末装置１上のウェブブラウザで表示する処理を行うものである。
【００９９】
以上の実施形態では、主に「アプリタイプ」を想定した説明を行っているが、「ブラウザタイプ」とすることもできる。
【符号の説明】
【０１００】
１    ユーザ端末装置
１ａ    投稿ユーザ端末装置
１ｂ    閲覧ユーザ端末装置
２    アクセスポイント
３    ネットワーク
４    サービス提供サーバ装置
７    コンテンツサーバ装置
１２    投稿制御部
１４    閲覧制御部
１６    表示処理部
１８    操作受付部
３０    ユーザ情報記憶部
４２    投稿制御部
４４    閲覧制御部
４６    表示処理部
６０    ユーザ情報記憶部
６２    閲覧管理情報記憶部
７０    制御部
７２    コンテンツデータ記憶部
７４    投稿情報記憶部
３００    ユーザ表示画面
３００ａ    タイムライン画面
３００ｂ    プロフィール画面
３００ｃ    お知らせ画面
３０２    ユーザ画像
３１０    ホームボタン
３１２    検索ボタン
３１４    撮影ボタン
３１６    お知らせボタン
３１８    プロフィールボタン
３２０    投稿情報
３２２    ユーザ画像
３２３    ユーザ名
３２４    タイトル
３２６    コンテンツ小窓
３２８    閲覧可能残数
３４０    お知らせ情報
３４２    ユーザ画像
３４４    メッセージ
３４６    サムネイル画像
【要約】
【課題】ユーザが気軽にコンテンツデータを投稿できるとともにコンテンツデータの閲覧を促進できるようにする。
【解決手段】サービス提供サーバ装置４は、ユーザが投稿したコンテンツデータに、当該コンテンツデータに設定された当該コンテンツデータを一以上の他のユーザが閲覧可能な閲覧可能回数を対応付けて管理し、前記閲覧可能回数の範囲内で一以上の他のユーザに前記コンテンツデータの閲覧を許可する閲覧制御部４４を含む。
【選択図】図４【図１】
0005876183.tif 000002
【図２】
0005876183.tif 000003
【図３】
0005876183.tif 000004
【図４】
0005876183.tif 000005
【図５】
0005876183.tif 000006
【図６】
0005876183.tif 000007
【図７】
0005876183.tif 000008
【図８】
0005876183.tif 000009
【図９】
0005876183.tif 000010